(57)【要約】【課題】  天井面への埋込配設のみならず既成の取付枠を用いた壁面への埋込配設が可能な熱線センサ付き自動スイッチを提供する。【解決手段】  人体を検知する熱線センサと熱線センサによって人体が検知されたときに制御信号を生成する制御手段と電源から負荷への給電路に挿入され制御信号によってオンオフされるスイッチ手段とが収納されたハウジング１と、ハウジング１を保持して天井面に取り付けられる取付部材２とを備える。ハウジング１は、既成の取付枠に３個まで取付可能な配線器具の１個分の寸法に形成されている。ハウジング１の長手方向の両端部には、それぞれ取付枠に設けられた被係合部に係合する係合爪６３が突設されている。取付部材２を用いて天井面への埋込配設が可能である。また、取付部材２を取外すことにより既成の取付枠を用いた壁面への埋込配設が可能となる。【選択図】図１
2006012644.tif 000002
【特許請求の範囲】
【請求項１】
人体から放射される熱線を検知する熱線センサと、熱線センサにより熱線が検知されると人体の存否に応じた制御信号を生成する制御手段と、電源から負荷への給電路に挿入され制御手段が出力した制御信号に応じて電源から負荷への給電をオンオフするスイッチ手段と、熱線センサと制御手段とスイッチ手段とが収納され熱線センサの受光面に熱線を入射させる窓部が設けられたハウジングと、天井面に設けられた埋込穴にハウジングの少なくとも一部が収納された状態でハウジングを保持するとともに天井面に取り付けられる取付部材とを備え、
取付部材は、ハウジングを保持する保持部と、保持部の周囲で埋込穴を覆うフランジ部と、フランジ部との間で天井面を挟持する挟み部とを有し、
ハウジングは、既成の取付枠に取付可能な寸法に形成されるとともに、既成の取付枠に設けられた被係合部に係合する係合部を有し、取付部材の保持部は、ハウジングの係合部が係合する被係合部を有することを特徴とする熱線センサ付き自動スイッチ。
【請求項２】
ハウジングに収納された発光素子と、ハウジングに収納され熱線センサの出力に応じて発光素子を点灯させる発光制御手段と、ハウジングに取り付けられ発光素子の光をハウジングにおいて取付部材の下側に露出する面に導出する導光部材とを備えることを特徴とする請求項１記載の熱線センサ付き自動スイッチ。
【請求項３】
導光部材を、ハウジングの窓部を全周にわたって囲む形状としたことを特徴とする請求項２記載の熱線センサ付き自動スイッチ。
【請求項４】
発光素子の点灯時の明るさが設定される設定手段を備え、発光制御手段は、設定手段に設定された明るさに応じて発光素子の点灯時の明るさを制御することを特徴とする請求項２又は請求項３記載の熱線センサ付き自動スイッチ。
【請求項５】
設定手段は、ハウジングに収納されて外部からワイヤレス信号として送信された設定信号を受信する受信手段を有し、受信手段に受信された設定信号に基いて発光素子の点灯時の明るさが設定されることを特徴とする請求項４記載の熱線センサ付き自動スイッチ。
【発明の詳細な説明】
【技術分野】
【０００１】
本発明は、人体の存在を検知して負荷への給電をオンオフする熱線センサ付き自動スイッチに関するものである。
【背景技術】
【０００２】
従来から、天井面に設けられた埋込穴に埋込配設され、人体の存在を検知して負荷への給電をオンオフする熱線センサ付き自動スイッチが提供されている（例えば、特許文献１参照）。
【０００３】
この種の熱線センサ付き自動スイッチは、図１７に示すように、天井面ＣＳに設けられた埋込穴ＣＨを覆うフランジ部Ｈ１と、フランジ部Ｈ１との間で天井材ＣＢを挟持する挟み部Ｈ２とをハウジングＨに備える。
【特許文献１】特開平５−１５００２９号公報
【発明の開示】
【発明が解決しようとする課題】
【０００４】
従来の熱線センサ付き自動スイッチは、ハウジングＨがフランジ部Ｈ１を有するなど既成の取付枠に取付可能な形状とはなっていなかったため、既成の取付枠を用いて壁面に埋込配設することができなかった。
【０００５】
本発明は上記事由に鑑みて為されたものであり、その目的は、天井面への埋込配設のみならず既成の取付枠を用いた壁面への埋込配設が可能な熱線センサ付き自動スイッチを提供することにある。
【課題を解決するための手段】
【０００６】
請求項１の発明は、人体から放射される熱線を検知する熱線センサと、熱線センサにより熱線が検知されると人体の存否に応じた制御信号を生成する制御手段と、電源から負荷への給電路に挿入され制御手段が出力した制御信号に応じて電源から負荷への給電をオンオフするスイッチ手段と、熱線センサと制御手段とスイッチ手段とが収納され熱線センサの受光面に熱線を入射させる窓部が設けられたハウジングと、天井面に設けられた埋込穴にハウジングの少なくとも一部が収納された状態でハウジングを保持するとともに天井面に取り付けられる取付部材とを備え、取付部材は、ハウジングを保持する保持部と、保持部の周囲で埋込穴を覆うフランジ部と、フランジ部との間で天井面を挟持する挟み部とを有し、ハウジングは、既成の取付枠に取付可能な寸法に形成されるとともに、既成の取付枠に設けられた被係合部に係合する係合部を有し、取付部材の保持部は、ハウジングの係合部が係合する被係合部を有することを特徴とする。
【０００７】
この発明によれば、取付部材を用いた天井面への埋込配設が可能であるだけでなく、ハウジングから取付部材を取外すことにより、既成の取付枠を用いた壁面への埋込配設が可能となる。
【０００８】
請求項２の発明は、請求項１の発明において、ハウジングに収納された発光素子と、ハウジングに収納され熱線センサの出力に応じて発光素子を点灯させる発光制御手段と、ハウジングに取り付けられ発光素子の光をハウジングにおいて取付部材の下側に露出する面に導出する導光部材とを備えることを特徴とする。
【０００９】
この発明によれば、発光素子の点灯によって動作の確認が可能となる。
【００１０】
請求項３の発明は、請求項２の発明において、導光部材を、ハウジングの窓部を全周にわたって囲む形状としたことを特徴とする。
【００１１】
この発明によれば、発光素子の点灯を確認しやすくなる。
【００１２】
請求項４の発明は、請求項２又は請求項３の発明において、発光素子の点灯時の明るさが設定される設定手段を備え、発光制御手段は、設定手段に設定された明るさに応じて発光素子の点灯時の明るさを制御することを特徴とする。
【００１３】
請求項５の発明は、請求項４の発明において、設定手段は、ハウジングに収納されて外部からワイヤレス信号として送信された設定信号を受信する受信手段を有し、受信手段に受信された設定信号に基いて発光素子の点灯時の明るさが設定されることを特徴とする。
【発明の効果】
【００１４】
本発明は、熱線センサが収納されたハウジングと、ハウジングを保持するとともに天井面に取り付けられる取付部材とを備え、ハウジングは、既成の取付枠に取付可能な寸法に形成されるとともに、既成の取付枠に設けられた被係合部に係合する係合部を有するので、取付部材を用いた天井面への埋込配設が可能であるのみならず、ハウジングを取付部材から取り外すことにより既成の取付枠を用いた壁面への埋込配設が可能となる。
【発明を実施するための最良の形態】
【００１５】
以下、本発明を実施するための最良の形態について、図面を参照しながら説明する。
【００１６】
本実施形態は、図１（ａ）に示すハウジング１と、図１（ｂ）に示すようにハウジング１を保持するとともに天井面ＣＳ（図１０（ａ）参照）に取りつけられる取付部材２とを備える。ハウジング１には、人体から放射される熱線を検知する熱線センサ３１（図２参照）が実装されたプリント配線板３（図３参照）が収納されている。熱線センサ３１は例えば焦電センサと焦電センサの出力を増幅する増幅回路とからなる。
【００１７】
プリント配線板３には、図２に示すように、熱線センサ３１の他に、例えばＣＰＵからなり熱線センサ３１により熱線が検知されると人体の存否に応じた制御信号を生成する制御部３２と、電源から負荷への給電路に挿入される端子部４の間に接続され電源から負荷への給電をオンオフするスイッチ部（図示せず）を有し各部の動作電源を生成する電源部３３と、制御部３２が出力した制御信号に応じて電源部３３のスイッチ部をオンオフするスイッチ駆動部３４と、発光ダイオードＬＤ（図３参照）と発光ダイオードＬＤを点灯させる発光制御手段としての駆動回路とを有し熱線センサ３１に人体が検知されたときに発光ダイオードＬＤを点灯させる表示部３５と、表示部３５が発光ダイオードＬＤを点灯させる明るさが設定される設定部３６と、例えば不揮発性メモリからなり熱線センサ３１に人体が検知されて負荷への給電を開始してから負荷への給電を停止するまでの動作保持時間の値が格納された記憶部３７とがそれぞれ実装されている。すなわち、熱線センサ３１によって人体が検知されたときには、表示部３５は設定部３６に設定された明るさで発光ダイオードＬＤを点灯させ、制御部３２は、記憶部３７から動作保持時間の値を読み取り、前記動作保持時間に応じた制御信号を生成することによりスイッチ駆動部３４を制御し前記動作保持時間の期間にわたって負荷への給電を行わせる。
【００１８】
ハウジング１は、図３に示すように、プリント配線板３が収納される収納凹部５１が設けられたボディ５と、ボディ５に被着されて収納凹部５１を覆うカバー６とからなる。ボディ５及びカバー６は、それぞれ例えば合成樹脂成形品からなる。以下、上下左右は図３を基準とし、図３の左上−右下方向を前後方向として説明する。ボディ５の左右両端面には、それぞれ係合突起５２が突設され、カバー６の左右両端部にはそれぞれ係合穴６２ａが貫設された係合片６２が突設され、係合突起５２が係合穴６２ａに係入することによってカバー６とボディ５とが結合している。
【００１９】
カバー６の前面において、左右方向の中央部には、左右両端部よりも前方へ突出した突出部６１が設けられ、突出部６１には、熱線センサ３１に熱線を入射させるための円形状の窓穴６１ａが前後に貫設されている。また、カバー６には、窓穴６１を閉塞し熱線センサ３１の受光面に熱線を集光する集光レンズ７が取り付けられる。さらに、窓穴６１ａの周囲には、前方から見て集光レンズ７を囲む突起６１ｂが突設されている。ここで、検知可能な範囲を広くとるために、集光レンズ７は突起６１ｂよりも前方へ突出させてある。また、ボディ５には発光ダイオードＬＤの光をハウジング１の前方へ導くための導光部材８が取り付けられる。導光部材８は、断面扇形状に形成された本体部８１と、本体部８１の上下に突出する連結部８２と、連結部８２の上下の端からそれぞれ後方へ突設された脚部８３とを有する。収納凹部５１の底面において左右方向での中央右寄りであって上下方向での両端部にはそれぞれ嵌合凹部５１ａが凹設されていて、各脚部８３がそれぞれ嵌合凹部５１ａに嵌合することによって導光部材８はボディ５に結合している。突起６１ｂの右端部には前後に開放された切り欠き６１ｃを設けてあり、ボディ５にカバー６を結合したときには導光部材８の本体部８１によって切り欠き６１ｃが閉塞される。導光部材８を設けたことにより、発光ダイオードＬＤの光をより視認しやすくなっている。
【００２０】
ボディ５の後面には、２個の端子部４が上下に並べて設けられている。各端子部４は、それぞれ端子ねじ４１と、ボディ５に取りつけられ端子ねじ４１が螺合する第１の端子板４２と、端子ねじ４１が挿通され第１の端子板４２との間に電線（図示せず）を挟持する第２の端子板４３とからなるねじ止め端子である。ボディ５において収納凹部５１の底部にはそれぞれ端子ねじ４１が挿通される２個のねじ挿通穴５１ｂが前後に貫設されていて、第１の端子板４２は、端子ねじ４１が螺合するねじ穴４２ａが貫設された本体部４２ｂと、本体部４２ｂの右端から前方へ突設されＵ字形状であってボディ５の後方から収納凹部５１内に導入されてかしめられねじ挿通穴５１ｂの上下においてそれぞれ本体部４２との間にボディ５を挟持するかしめ部４２ｃとを有する。
【００２１】
また、端子部４に誤って接触することがないように、ボディ５の後側には、後方から見て各端子部４をそれぞれ覆う端子カバー９が取り付けられる。ボディ５の後面には、図４（ａ）に示すように後方へ突出し端子部４を挟んで上下に対向する２個の突部５３と、突部５３の間において端子部４を仕切るように後方へ突出した支持突起５４とがそれぞれ設けられている。各突部５３はそれぞれ支持突起５４の後面よりも後方において内側へ突設された押さえ部５３ａを有し、端子カバー９は支持突起５４と押さえ部５３ａとの間に挟持される。さらに、端子カバー９には位置決め穴９１が貫設され、支持突起５４の後面には位置決め突起５４ａが後方へ突設されていて、位置決め穴９１に位置決め突起５４ａが挿入されることによって端子カバー９の左右方向への位置ずれは防止されている。
【００２２】
また、ボディ５の後面には、設定部３６が有する例えばロータリースイッチの調整つまみ３６ａを露出させてあり、調整つまみ３６ａをひねることによって発光ダイオードＬＤの点灯時の明るさを設定することができるようになっている。さらに、発光ダイオードＬＤの点灯時の明るさを暗くする方向へ調整つまみをある程度回せば、熱線センサ３１に人体が検知されたときにも発光ダイオードＬＤが点灯しないように設定することも可能となっている。また、図４（ｂ）に示すようにボディ５の後面において調整つまみ３６ａの周囲には、どの方向に調整つまみ３６ａを回せば発光ダイオードＬＤの点灯時の明るさがどのように変化するかということを示す表示３６ｂが付してある。
【００２３】
また、図５に示すリモコン装置ＲＣから、例えば赤外光や電波のようなワイヤレス信号として送信される設定信号に基いて発光ダイオードＬＤの明るさを設定することができるように、プリント配線板３にはリモコン装置ＲＣとの間でワイヤレス信号を送受信するための送受信部３８が実装されている。設定信号が送受信部３８に受信されると、制御部３２は受信された設定信号に応じた発光ダイオードＬＤの点灯時の明るさの値を設定部３６に設定する。ここで、設定信号は、発光ダイオードＬＤの点灯時の明るさの値を示す信号であってもよいし、発光ダイオードＬＤの点灯時の明るさの値を増減させる信号であってもよい。また、リモコン装置ＲＣから所定の要求信号が送受信部３８に受信されると、制御部３２は発光ダイオードＬＤの点灯時の明るさの値を設定部３６から読み出してワイヤレス信号として送受信部３８に送信させる。リモコン装置ＲＣはワイヤレス信号を受信する受信部と液晶表示部とを備え、前記ワイヤレス信号が受信部に受信されると、受信された明るさの値を前記液晶表示部に表示する。同様にして、記憶部３７における動作保持時間の値をワイヤレス信号によって書き換え可能としてもよい。この構成を採用すれば、動作保持時間の設定の変更が容易となる。
【００２４】
ここで、ワイヤレス信号として赤外光を用いる場合、ワイヤレス信号が人体からの熱線として誤って検知されないように、用いる赤外光の波長は人体が発する熱線（赤外光）の波長から離す必要がある。また、ワイヤレス信号として赤外光を用いる場合、導光部材８を発光ダイオードＬＤだけでなく送受信部３８の受光部及び発光部にも光学的に結合させ、発光ダイオードＬＤの光を導出するための導光部材８を、送受信部３８に赤外光を入出力するための導光部材として兼用してもよい。
【００２５】
次に、本実施形態の要旨である、ハウジング１を配設するための構成について説明する。ハウジング１は、ＪＩＳ  Ｃ  ８３０４に規定された大角連用型の既成の取付枠Ｆ（図１４参照）に３個まで取付可能な配線器具の１個分の寸法（以下、「１個モジュール寸法」と呼ぶ）に形成されている。そして、カバー６の左右両端部には、それぞれ取付枠Ｆに設けられた被係合部としての被係合穴Ｆａ，Ｆｂに係合する係合爪６３が、前後に並べて２個づつ突設されている。
【００２６】
取付部材２は、合成樹脂成形品からなり埋込穴を覆う円盤形状のフランジ部２１を有する。フランジ部２１には、ハウジング１の突出部６１を上下に２個並べて挿通可能な寸法の貫通穴２１ａが貫設されている。また、貫通穴２１ａの左側には、被係合部として、フランジ部２１の後面から後方へ突出し先部が右方へ曲がった被係合突起（図示せず）が上下に４個並べて突設され、フランジ部２１の前面には被係合突起を形成するための金型が抜かれた型抜き穴２２ａが形成されている。さらに、貫通穴２１ａの右側には、被係合部としての２個の矩形状の被係合穴２３ａが上下に並べて左右に貫設された被係合片２３が突設されている。被各係合穴２３ａの後側の内面には、それぞれ突起２３ｂが前方へ突設されている。
【００２７】
取付部材２にハウジング１を取り付けるには、図６に矢印Ａ１で示すように取付部材１の後方から貫通穴２１ａにハウジング１の突出部６１を挿入し、ハウジング１の左側上の係合爪６３を上から２番目の被係合突起に係合させハウジング１の左側下の係合爪６３を上から３番目の被係合突起に係合させながら、ハウジング１を取付部材２に対して前方へ押し込むと、右側の係合爪６３が被係合片２３の左面を押圧して弾性変形させながら前方へ移動する。そして、右側の係合爪６３が被係合穴２３ａに至ると、係合片２３が復帰して右側の係合爪６３が被係合穴２３ａに係入し、ハウジング１は取付部材２に結合する。ここにおいて、上側の被係合穴２３ａに設けられた突起２３ｂが上側の係合爪６３の上端に当接し、下側の被係合穴２３ａに設けられた突起２３ｂが下側の係合爪６３の下端に当接することにより、ハウジング１の取付部材２に対する上下方向のがたつきが防止される。
【００２８】
また、取付部材２には、図７に示すように既成の取付枠Ｆに３個まで取付可能な配線器具の２個分の寸法（以下、「２個モジュール寸法」と呼ぶ。）であって係合爪６３を２個分有するハウジング１も取付可能となっている。このようなハウジング１ａを取り付ける場合には、ハウジング１の左側の各係合爪６３が取付部材２の被係合突起に１対１に係合し、ハウジング１の右側の係合爪６３のうち上側の２個は上側の被係合穴２３ａに係合して下側の２個は下側の被係合穴２３ａに係合する。このとき、各被係合穴２３ａに設けられた突起２３ｂがそれぞれ係合爪６３に挟まれることにより、ハウジング１の取付部材２に対する上下方向への位置ずれが防止される。２個モジュール寸法のハウジング１を用いれば、例えば他の熱線センサ付きスイッチとの通信のための信号線を接続する端子を設けるなどの拡張を行い、他の熱線センサ付きスイッチに人体が検知されたときにも負荷をオンするといった機能を追加することが容易にできる。
【００２９】
また、取付部材２には、図６に矢印Ａ２で示すように、円盤形状であってフランジ部２１の前面を覆う化粧プレート１０が取り付けられる。フランジ部２１において貫通穴２１ａの４隅付近には、それぞれ化粧プレート取付穴２１ｂ，２１ｃが前後に貫設されていて、化粧プレート１０の後面に突設された４個の係合爪（図示せず）がそれぞれ化粧プレート取付穴２１ｂ，２１ｃに係合することにより、化粧プレート１０は取付部材２に結合している。化粧プレート１０の中央部には窓穴１０ａが前後に貫設され、取付部材２に化粧プレート１０を取り付けたときには、図８に示すように集光レンズ７と突起６１ｂと導光部材８の本体部８１とが窓穴１０ａを通じて露出する。
【００３０】
さらに、取付部材２において、貫通穴２１ａの上下には、それぞれ上下方向のうち貫通穴２１ａから離れた側の一方へ開口して断面コ字形状に形成された支柱２４が後方へ突設されている。支柱２４の後端部において、前方から見て開口面に対して左回りに隣接する側面には切り欠き２４ａが設けられている。さらに、フランジ部２１において支柱２４の前側にはねじ挿通穴２１ｄが貫設され、引締めねじ１１が図９に示すようにフランジ部２１の前方からねじ挿通穴２１ｄに挿通されて支柱２４内に配置されている。さらに、引締めねじ１１には挟み金具１２を螺合させてある。挟み金具１２は、引締めねじ１１に螺合するねじ穴が貫設された本体部１２ａと、本体部１２ａの端部から前方へ突設された連結部１２ｂと、連結部１２ｂの前端から本体部１２ａとは反対側へ突出する押さえ部１２ｃとからなる。また、支柱２４の後端部には、引締めねじ１１が挿通される貫通穴２４ｂを有し挟み金具１２の後方への脱落を防止する規制部２４ｃが設けられている。
【００３１】
取付部材２を天井面ＣＳに取り付けるには、端子部４に電線Ｃを接続するとともに挟み金具１２を切り欠き２４ａ内に導入した状態で、図１０（ａ）に示すように前面を下方へ向けて矢印Ａ３で示すように支柱２４を埋込穴ＣＨに挿入し、フランジ部２１を天井面ＣＳに当接させて各引締めねじ１１をそれぞれ締め付ける。すると、引締めねじ１１の回転により図１１に示すように挟み金具１２が切り欠き２４ａから出て下方へ移動する。さらに引締めねじ１１を締め付けると、挟み金具１２の押さえ部１２ｃが天井材ＣＢの上面に当接することにより天井材ＣＢがフランジ部２１と挟み金具１２との間に挟持され、ここにおいて図１０（ｂ）に示すように取付部材２の天井面ＣＳへの取り付けが完了する。ここで、化粧プレート１０の前面（図１０（ｂ）における下面）には、見栄えを向上するために、化粧プレート１０の中心からの距離が化粧プレート１０の半径の役半分に近付くほど天井面ＣＳからの突出寸法を大きくする傾斜面が設けられている。
【００３２】
また、取付部材２を直接天井面ＣＳにねじ止めすることもできるように、フランジ部において貫通穴２１ａの左右にはそれぞれ天井材ＣＢに螺合するねじ（図示せず）が挿通されるねじ挿通穴２１ｅが前後に貫設されている。
【００３３】
なお、本実施形態を天井面ＣＳに取り付けるに当たっては、取付部材２を取り外した状態でハウジング１を天井面ＣＳに取り付けてもよい。例えば、図１２（ａ）に示すように集光レンズ７が挿通される貫通穴ＣＨ１を天井材ＣＢに貫設し、ハウジング１の前面を下方へ向けて図１２（ｂ）に示すように貫通穴ＣＨ１に集光レンズ７を挿通し、ハウジング１を天井材ＣＢの上面に例えば粘着テープ（図示せず）によって貼着する。この場合、ハウジング１を天井材ＣＢの上側へ導入するには、例えば天井がパネル材からなる場合には取付箇所のパネル材に隣接するパネル材を取外し、そこからハウジング１を導入する。
【００３４】
上記構成によれば、図１３に示す取付部材２を用いた天井面への埋込配設が可能なだけでなく、図１４に示す既成の３個用の取付枠Ｆや図１５に示す１個用の化粧プレート付き取付枠Ｐを用いた壁面への埋込配設が可能となる。
【００３５】
なお、カバー６の前面に突起６１ｂを設ける代わりに、図１６に示すように導光部材８の本体部８１を集光レンズ７の全周を囲む形状とし、発光ダイオードＬＤの光によって集光レンズ７の全周を発光させる構成としてもよい。この構成を採用すれば、発光ダイオードＬＤの点灯を確認しやすくなる
【図面の簡単な説明】
【００３６】
【図１】本発明の実施形態を示す斜視図であり、（ａ）はハウジングを示し、（ｂ）はハウジングに取付部材を取り付けた状態を示す。
【図２】同上の回路構成を示すブロック図である。
【図３】同上を示す分解斜視図である。
【図４】（ａ）は同上のハウジングを示す背面図であり、（ｂ）は（ａ）の要部拡大図である。
【図５】同上においてワイヤレス信号を用いて発光ダイオードの点灯時の明るさを変更する方法を示す説明図である。
【図６】同上を示す分解斜視図である。
【図７】同上の別の形態を示す斜視図であり、（ａ）はハウジングを示し、（ｂ）はハウジングに取付部材を取り付けた状態を示す。
【図８】本発明の実施形態を示す正面図である。
【図９】同上の取付部材を示す斜視図である。
【図１０】同上を天井面に埋込配設する方法を示す説明図であり、（ａ）は配設前の状態を示し、（ｂ）は配設後の状態を示す。
【図１１】同上を天井面に埋込配設した状態を示す側面図である。
【図１２】取付部材を用いずに同上を天井面に埋込配設する方法を示す説明図であり、（ａ）は配設前の状態を示し、（ｂ）は配設後の状態を示す。
【図１３】（ａ）は同上の正面図、（ｂ）は同上の右側面図、（ｃ）は同上のハウジングの右側面図である。
【図１４】（ａ）は同上のハウジングを既成の取付枠に取り付けた状態を示す正面図、（ｂ）は同上のハウジングを既成の取付枠に取り付けた状態を示す右側面図、（ｃ）は同上のハウジングの右側面図である。
【図１５】（ａ）は同上のハウジングを化粧プレート付きの１個用取付枠に取り付けた状態を示す正面図、（ｂ）は同上のハウジングを化粧プレート付きの１個用取付枠に取り付けた状態を示す右側面図、（ｃ）は同上のハウジングの右側面図である。
【図１６】同上の別の形態を示す正面図である。
【図１７】従来例を示す側面図である。
【符号の説明】
【００３７】
１  ハウジング
２  取付部材
８  導光部材
１２  挟み金具
２１  フランジ部
２３ａ  被係合穴
３１  熱線センサ
３２  制御部
３３  電源部
３４  スイッチ駆動部
３５  表示部
３６  設定部
３８  送受信部
６３  係合爪
ＬＤ  発光ダイオード
【図１】
2006012644.tif 000003
【図２】
2006012644.tif 000004
【図３】
2006012644.tif 000005
【図４】
2006012644.tif 000006
【図５】
2006012644.tif 000007
【図６】
2006012644.tif 000008
【図７】
2006012644.tif 000009
【図８】
2006012644.tif 000010
【図９】
2006012644.tif 000011
【図１０】
2006012644.tif 000012
【図１１】
2006012644.tif 000013
【図１２】
2006012644.tif 000014
【図１３】
2006012644.tif 000015
【図１４】
2006012644.tif 000016
【図１５】
2006012644.tif 000017
【図１６】
2006012644.tif 000018
【図１７】
2006012644.tif 000019